(57)【特許請求の範囲】
【請求項１】
複数列に表示される図柄の変動表示および停止表示を含む図柄変動ゲームを繰り返し実行する遊技機であって、
それぞれに複数の図柄が配列されている第一リール、第二リール及び第三リールを含む複数のリールと、
前記変動表示を開始させる条件である第一条件の少なくとも一部を、遊技者の操作に起因して成立させる第一処理手段と、
前記第一条件の成立を契機として、予め定められている複数とおりの入賞役の当否を抽選によって判定する当否判定手段と、
前記当否判定手段によって判定された前記入賞役の当選を契機として、当該入賞役に対応している入賞役フラグを成立させるフラグ成立手段と、
前記変動表示が行われている期間であって前記複数のリールが予め定められた所定速度に到達した以後に停止操作を受付可能になる停止操作受付手段と、
前記第一条件の成立を契機として、前記複数のリールを前記所定速度で回動させることによって前記変動表示を実行し、前記停止操作受付手段が前記停止操作を受け付けることを契機として回動させている前記リールを停止させる通常回動制御手段と、
前記変動表示が行われている期間であって前記複数のリールが前記所定速度に到達した以後に、前記停止操作とは異なる特定の操作を受け付けることに起因して第二条件を成立させる第二処理手段と、
前記第二条件の成立を契機として、前記複数のリールの少なくとも一つを回動させる特別表示を実行する特別回動制御手段と、
を備え、
前記当否判定手段によって抽選されたとしても所定のタイミングで停止操作しなければ入賞しない前記入賞役に対応している特定の前記入賞役フラグが成立した前記図柄変動ゲームにおいて前記第二条件が成立して前記特別表示が実行される場合の少なくとも一部において、
前記特別回動制御手段は、
前記第一リールを、当該特別表示を開始させた以後に前記所定速度より低速で回動させ、前記特定の入賞役フラグに対応する第一図柄と前記第一図柄より視認容易な第二図柄とがリール前方の窓枠内に収まる位置に停止させ、
前記第二リールを、当該特別表示を開始させた以後に前記所定速度より低速で回動させ、前記特定の入賞役フラグに対応する第三図柄が前記窓枠上方であって且つ前記第三図柄より視認容易な第四図柄が前記窓枠内に収まる位置に停止させ、更に前記所定速度より低速で回動させ、前記第三図柄が前記窓枠内に収まり且つ前記第四図柄が前記窓枠下方である位置に停止させ、
前記第三リールの回動速度を、当該特別表示を開始させてから解除するまでの期間にわたって前記所定速度より低速であって零を超える速度に維持させる遊技機。
【発明の詳細な説明】
【技術分野】
【０００１】
本発明は、遊技機に関するものであり、特に回胴式遊技機に関する。
【背景技術】
【０００２】
遊技機の一種である回胴式遊技機（スロットマシン）は、一般的に多数の図柄が配列されている複数のリールが備わっている。そして、各リールを回動させることによって図柄が変動表示され、その後に停止表示された図柄の組合せによって種々の特典（入賞やボーナス遊技等）を受けることができる構成になっている。従って、遊技に興じる事前に、または遊技の最中に、各リールに配列されている図柄（図柄配列目）を確認する遊技者が多い。
この種の遊技機として、下記の特許文献１を例示する。
【０００３】
特許文献１に記載の遊技機は、内部抽選で当選成立した当選役に対応する図柄を特殊なリール回動で遊技者に示唆することができる推奨図柄表示処理（特許文献１の図３５等を参照）を実行する。
これにより、遊技者は容易に当選役を認識することができ、当該当選役に対応する図柄を迷いなく狙って停止させることができる。
【先行技術文献】
【特許文献】
【０００４】
【特許文献１】特開２０１０−１１９４６８号公報
【発明の概要】
【発明が解決しようとする課題】
【０００５】
特許文献１に記載の遊技機では、上記の推奨図柄表示処理の前提条件が厳しいので、実行できる状況が限られる。当該前提条件は、具体的には、前回の図柄変動ゲームにおいてリプレイ役（再遊技）が成立しており、かつ今回の図柄変動ゲームの開始時から、いわゆるウェイト時間を消化するまでの時間が所定時間以上であることである。
このような構成では、遊技者は任意のタイミングでリールの図柄配列目を確認することができない。また、遊技者にとって不要なタイミングで推奨図柄表示処理が実行されてしまう虞もある。
【０００６】
本発明は、上記の課題に鑑みなされたものであり、遊技者の発意によってリールの図柄配列目を確認することができる遊技機を提供するものである。
【課題を解決するための手段】
【０００７】
本発明によれば、複数列に表示される図柄の変動表示および停止表示を含む図柄変動ゲームを繰り返し実行する遊技機であって、それぞれに複数の図柄が配列されている第一リール、第二リール及び第三リールを含む複数のリールと、前記変動表示を開始させる条件である第一条件の少なくとも一部を、遊技者の操作に起因して成立させる第一処理手段と、前記第一条件の成立を契機として、予め定められている複数とおりの入賞役の当否を抽選によって判定する当否判定手段と、前記当否判定手段によって判定された前記入賞役の当選を契機として、当該入賞役に対応している入賞役フラグを成立させるフラグ成立手段と、前記変動表示が行われている期間であって前記複数のリールが予め定められた所定速度に到達した以後に停止操作を受付可能になる停止操作受付手段と、前記第一条件の成立を契機として、前記複数のリールを前記所定速度で回動させることによって前記変動表示を実行し、前記停止操作受付手段が前記停止操作を受け付けることを契機として回動させている前記リールを停止させる通常回動制御手段と、前記変動表示が行われている期間であって前記複数のリールが前記所定速度に到達した以後に、前記停止操作とは異なる特定の操作を受け付けることに起因して第二条件を成立させる第二処理手段と、前記第二条件の成立を契機として、前記複数のリールの少なくとも一つを回動させる特別表示を実行する特別回動制御手段と、を備え、前記当否判定手段によって抽選されたとしても所定のタイミングで停止操作しなければ入賞しない前記入賞役に対応している特定の前記入賞役フラグが成立した前記図柄変動ゲームにおいて前記第二条件が成立して前記特別表示が実行される場合の少なくとも一部において、前記特別回動制御手段は、前記第一リールを、当該特別表示を開始させた以後に前記所定速度より低速で回動させ、前記特定の入賞役フラグに対応する第一図柄と前記第一図柄より視認容易な第二図柄とがリール前方の窓枠内に収まる位置に停止させ、前記第二リールを、当該特別表示を開始させた以後に前記所定速度より低速で回動させ、前記特定の入賞役フラグに対応する第三図柄が前記窓枠上方であって且つ前記第三図柄より視認容易な第四図柄が前記窓枠内に収まる位置に停止させ、更に前記所定速度より低速で回動させ、前記第三図柄が前記窓枠内に収まり且つ前記第四図柄が前記窓枠下方である位置に停止させ、前記第三リールの回動速度を、当該特別表示を開始させてから解除するまでの期間にわたって前記所定速度より低速であって零を超える速度に維持させる遊技機が提供される。
【０００８】
上記発明によれば、遊技者の発意によって低速期間または停止期間を含む特別表示（フリーズ）を実行することが可能なので、その遊技者の都合に合わせてリールの図柄配列目を確認することができる。
【発明の効果】
【０００９】
本発明によれば、遊技者の発意によってリールの図柄配列目を確認することができる遊技機が提供される。
【図面の簡単な説明】
【００１０】
【図１】遊技機の正面図である。
【図２】リールユニットの斜視図である。
【図３】遊技機の機能ブロック図である。
【図４】第一実施形態における図柄変動ゲームのメインフローを示すフローチャートである。
【図５】図柄変動ゲームにおける変動表示の処理手順を示すフローチャートである。
【図６】特別表示の実行の一例を示すタイムチャートである。
【図７】図６で示す特別表示における各リールの動作状態を示す図である。
【図８】第二実施形態における変動表示の処理手順を示すフローチャートである。
【図９】第二実施形態における特別表示の処理手順を示すフローチャートである。
【図１０】特別表示の実行の一例を示すタイムチャートである。
【発明を実施するための形態】
【００１１】
以下、本発明の実施形態について、図面を用いて説明する。なお、すべての図面において、同様の構成要素には同一の符号を付し、適宜に説明を省略する。
本実施形態の説明において示す方向は、特に断りのない限り、遊技者が遊技機１０に正対して視たときの方向、すなわち図１に示す遊技機１０の正面図における方向とする。
また、以下の説明においては、特に断りのない限り、遊技機１０には電源が投入され正常に動作していることを前提として説明する。
【００１２】
＜遊技機１０の概要＞
まず、本発明を実施する遊技機１０の概要について、図１および図３を用いて説明する。図１は、遊技機１０の正面図である。図３は、遊技機１０の機能ブロック図である。
【００１３】
遊技機１０は、複数列に表示される図柄の変動表示および停止表示を含む図柄変動ゲームを繰り返し実行する。また、遊技機１０は、複数のリール５２（リール５２Ｌ、リール５２Ｃ、リール５２Ｒ）と、通常開始処理部１１１（第一処理手段）と、通常回動制御部１５１（通常回動制御手段）と、特別開始処理部１１２（第二処理手段）と、特別回動制御部１５２（特別回動制御手段）と、を備える。
複数のリール５２は、それぞれに複数の図柄が配列されている。
通常開始処理部１１１は、変動表示を開始させる条件である通常開始条件（第一条件）の少なくとも一部を、遊技者の操作に起因して成立させる。
通常回動制御部１５１は、通常開始条件の成立を契機として、複数のリール５２を予め定められた所定速度で回動させることによって変動表示を実行する。
特別開始処理部１１２は、遊技者の操作に起因して特別開始条件（第二条件）を成立させる。
特別回動制御部１５２は、特別開始条件の成立を契機として、複数のリール５２の少なくとも一つを回動させる特別表示を実行する。
【００１４】
特別表示が実行されている期間の少なくとも一部には、当該特別表示において回動させるリール５２の回動速度が所定速度より低速である低速期間、または当該特別表示において回動させているリール５２が停止する停止期間が含まれることを特徴とする。
これにより、遊技者の発意によって低速期間または停止期間を含む特別表示を実行することが可能となり、その遊技者の都合に合わせてリール５２の図柄配列目を確認することができる。
【００１５】
ここで「特別表示」とは、図柄変動ゲームの中で行われる通常の変動表示とは異なる条件によって実行され、通常の変動表示に対して排他的に実行される特別な変動表示である。
また以下の説明において「変動表示」と称する場合、図柄変動ゲームの中で行われる通常の変動表示のことをいい、上記の特別表示とは異なるものを意味する。
【００１６】
ここで「通常開始条件（第一条件）」とは、図柄変動ゲームにおける変動表示を開始させるための条件である。より具体的には、以下の条件を満足している場合、開始条件が成立する。
（ｉ）遊技機が正常に起動している。
（ｉｉ）投入された遊技媒体（メダル）が所定のベット数に達している、または前回の図柄変動ゲームにおいてリプレイが成立している。
（ｉｉｉ）スタートレバー２６が操作された旨を検知する。
（ｉｖ）前回の図柄変動ゲームにおける変動表示の開始時から所定の遅延時間（４．１秒）が経過している。
上記の条件のそれぞれが成立するタイミングや状況については、後に詳述する。
【００１７】
ここで「特別開始条件（第二条件）」とは、特別回動制御部１５２によって実行される特別表示を開始させるための条件である。
【００１８】
ここで「遊技者の操作に起因して」とは、遊技機１０に設けられた種々の入力手段（例えば、スタートレバー２６やＭＡＸＢＥＴボタン２２等）のいずれかによって受け付けられた遊技者の操作入力を契機にすることである。
通常開始条件の成立契機となる「遊技者の操作」と特別開始条件の成立契機となる「遊技者の操作」は、内部処理として個別に処理できれば足りる。従って、これらの「遊技者の操作」は、同一の入力手段から受け付けられてもよいし、別々の入力手段から受け付けられてもよい。
また、遊技者としては一の操作（ワンアクション）であっても、内部処理としては通常開始条件の成立と特別開始条件の成立とに分けて個別に処理してもよい。例えば、スタートレバー２６が初期状態より倒れたこと（スタートレバーセンサ３２６がＯＮになったこと）を契機に通常開始条件を成立させ、スタートレバー２６が初期状態の位置に復位したこと（スタートレバーセンサ３２６がＯＦＦになったこと）を契機に特別開始条件を成立させてもよい。
また、遊技者による一の操作を契機として複数の条件が成立してもよい。例えば、スタートレバー２６が初期状態より倒れたこと（スタートレバーセンサ３２６がＯＮになったこと）を契機に、通常開始条件および特別開始条件が成立してもよい。この場合、通常開始条件および特別開始条件の成立タイミングが同時になってもよいし、前後してもよい。
【００１９】
ここで「所定速度」とは、図柄変動ゲームの実行中におけるリール５２の回動速度として与えられる一定の速度である。
上記の「特別表示において回動させるリール５２の回動速度が所定速度より低速である低速期間」とは、所定速度より低速なリール回動を維持させる期間である。ただし、低速期間は、通常の変動表示においてリール５２の回動速度が零から所定速度に到達するまでに要する時間（加速時間）、またはリール５２の回動速度が所定速度から零に減速するまでに要する時間（減速時間）を超えるものをいう。
なお、低速で回動させる方向は、図柄変動ゲームの実行中における回動方向（順方向）であってもよいし、その逆方向であってもよい。また、上記の加速時間および減速時間は、一般的な仕様では１２０ｍｓ程度と考えられる。
【００２０】
上記の「特別表示において回動させているリール５２が停止する停止期間」とは、現に回動しているリール５２の回動速度が零になる期間をいう。
また、ここでいう停止（回動速度が零である）とは、リール５２が所定の位置を基準として僅かに揺動している態様（いわゆるバウンド演出）も含まれる。
【００２１】
以上に述べた本発明の実施に関する遊技機１０の概要を具体的に説明するため、以下、第一実施形態および第二実施形態について説明する。
【００２２】
＜第一実施形態の遊技機１０について＞
第一実施形態の遊技機１０について、図１から図３を用いて説明する。
図１は、遊技機１０の正面図である。図２は、リールユニット５０の斜視図である。図３は、遊技機１０の機能ブロック図である。
遊技機１０は、前面を開口した直方体状の本体（図示せず）と、当該本体の左側縁側に対して回動開閉可能に軸支された前面扉１２と、を備えている。
前面扉１２には、中央パネル１４と、ＢＥＴボタン２０と、ＭＡＸＢＥＴボタン２２と、メダル投入口２４と、スタートレバー２６と、ストップボタン２８と、精算スイッチ３０と、メダル排出口３２と、スピーカ３４と、装飾ランプ３６と、下皿３８と、が配設されている。
【００２３】
スタートレバー２６は、図柄変動ゲームにおける変動表示を開始させるための契機として、遊技者の操作を受け付けることができる。スタートレバー２６に対する遊技者の操作とは、具体的には初期状態において前面扉１２に対して略垂直に設けられているスタートレバー２６をいずれかの方向に倒すことである。
本実施形態におけるスタートレバー２６は、前面扉１２に対して略垂直（初期状態）である場合はスタートレバーセンサ３２６がＯＮになり、初期状態からいずれかの方向に倒されている場合はスタートレバーセンサ３２６がＯＦＦになる。なお、以下の説明においてスタートレバーセンサ３２６がＯＮからＯＦＦになることも、ＯＦＦからＯＮになることも同様に「スタートレバーセンサ３２６による検知」と説明する場合がある。
【００２４】
遊技不能である場合、スタートレバー２６が遊技者の操作を受け付けたとしても、変動表示および特別表示は開始されない。
遊技不能である場合としては、（ｉ）前面扉１２が開扉している場合、（ｉｉ）遊技機１０に内蔵されているメダル払出装置７０（図３参照）の中にメダルが無い場合、（ｉｉｉ）貯留されているクレジットに相当するメダルを、精算スイッチ３０の押下に起因してメダル排出口３２からメダルを排出する処理が行われている場合、等が挙げられる。
【００２５】
また、本実施形態において、メダルが所定のベット数（本実施形態では３枚）に達していない場合には、スタートレバー２６が遊技者の操作を受け付けたとしても、変動表示および特別表示は開始されない。所定のベット数に到達させるためには、以下の操作または処理の少なくとも一つ、または複数の組合せが必要である。
（ｉ）メダル投入口２４からメダルを投入してベット数を増やす。
（ｉｉ）遊技機１０に貯留されているクレジットをＢＥＴボタン２０およびＭＡＸＢＥＴボタン２２の押下によって減算させてベット数を増やす。なお、ＢＥＴボタン２０は１回の押下でクレジットを最大で１つ減算させることができ、ＭＡＸＢＥＴボタン２２は１回の押下でクレジットを最大で３つ減算させることができる。また、ＢＥＴボタン２０およびＭＡＸＢＥＴボタン２２を押下しても、当該遊技におけるクレジットの減算値が所定のベット数に達している場合には、それを超えてクレジットを減算させることができない。
（ｉｉｉ）前回の図柄変動ゲームにおいてリプレイ役に対応している条件装置１３０（図３参照）が作動している場合、当該図柄変動ゲームにおいて再遊技処理が実行される。この場合、遊技者が（ｉ）や（ｉｉ）の操作を行わずとも、自動的に当該図柄変動ゲームにおけるベット数が所定数に到達する。ここで述べた再遊技については、後に詳述する。
【００２６】
ここでメダルの貯留とは、遊技者の所有するメダルの一部または全部に代えて、その数に相当する数値（クレジット）を遊技機１０の内部で記憶する機能をいう。メダルが貯留される（クレジットが増大する）場合は、例えば（ｉ）所定のベット数を超えてメダル投入口２４からメダルが投入された場合、（ｉｉ）遊技において入賞し、当該入賞の特典としてメダルが付与された場合、等が挙げられる。
なお、本実施形態においてクレジットの上限は「５０」に設定されており、クレジットが上限値を超えるメダル投入またはメダル付与がなされる場合、上限値を超えた分に相当するメダルがメダル排出口３２から下皿３８に払い出される。より詳細には、クレジットが上限値に到達するとメダルブロッカ（図示せず）が作動し、当該メダルブロッカが作動しているときにメダル投入口２４からメダルが投入された場合、投入されたメダルがそのままメダル排出口３２から排出される。また、クレジットの上限値を超えてメダルが付与された場合、付与されたメダル数に相当するメダルがメダル払出装置７０から取り出され、メダル排出口３２から排出される。
【００２７】
本実施形態におけるＭＡＸＢＥＴボタン２２は、変動表示の実行中に押下されることによって、上記の特別表示の開始契機となる。すなわち、変動表示の実行中におけるＭＡＸＢＥＴボタン２２の押下（ＭＡＸＢＥＴボタンセンサ３２２による検知）が特別開始条件である。ここで特別開始条件（第二条件）とは、特別表示を開始させるための条件である。特別開始条件は、後に述べる特別開始処理部１１２（第二処理手段）がＭＡＸＢＥＴボタン２２の押下（遊技者の操作）に起因して成立させる。
【００２８】
また、本実施形態におけるＭＡＸＢＥＴボタン２２は、特別表示の実行中に押下されることによって、上記の特別表示の終了契機となる。すなわち、変動表示の実行中におけるＭＡＸＢＥＴボタン２２の押下（ＭＡＸＢＥＴボタンセンサ３２２による検知）が特別終了条件である。ここで特別終了条件（第三条件）とは、特別表示の実行を解除するための条件である。特別終了条件は、後に述べる特別終了処理部１１３（第三処理手段）がＭＡＸＢＥＴボタン２２の押下（遊技者の操作）に起因して成立させる。
【００２９】
なお、本実施形態における特別開始条件または特別終了条件の態様は一例であり、本発明の実施はこれに限られるものではない。また、本実施形態における特別開始条件または特別終了条件の契機となる遊技者の操作は、いずれもＭＡＸＢＥＴボタン２２の押下であるが、必ずしも同一の部材で受け付ける必要はない。従って、特別開始条件または特別終了条件が、それぞれ異なる部材で受け付けた遊技者の操作に起因して成立してもよい。
【００３０】
リールユニット５０は、スタートレバー２６が受け付けた遊技者の操作に起因して回動を開始する。このとき、前回の図柄変動ゲームにおける変動表示の開始時から当該図柄変動ゲームにおける変動表示の開始時までの時間が所定の遅延時間、いわゆるウェイト時間を超えていることを要する。すなわち、スタートレバー２６にてウェイト時間が経過する前に遊技者の操作が受け付けられた場合、ウェイト時間が経過するまで待機した後にリールユニット５０は回動を開始する。なお、本実施形態におけるウェイト時間は４．１秒に設定されている。
【００３１】
リールユニット５０が回動している最中、各リール５２は原則として上から下へと回動する。本明細書において、リール５２における上から下への回動を「順方向」、下から上への回動を「逆方向」と称する。
【００３２】
複数のストップボタン２８は、リールユニット５０における停止パターンの停止表示の契機となる遊技者の操作を、遊技者から受け付ける。なお、ストップボタン２８は、リールユニット５０が回動を開始した後に成立する停止条件を契機として、停止操作を受け付けることができる。
ストップボタン２８に対する遊技者の操作とは、具体的にはストップボタン２８を押下することである。
また、ここで停止条件とは図柄変動ゲームにおける停止表示を実行するための前提条件であり、具体的には、（ｉ）図柄変動ゲームの実行中にすべてのリール５２が所定速度で回動しており、（ｉｉ）回動しているリール５２に対応するストップボタン２８以外の入力手段が操作されていないとき、停止条件が成立する。
【００３３】
ストップボタン２８は、各リール５２に対して一つずつ設けられている。具体的には、ストップボタン２８Ｌは、リール５２Ｌを停止させるための停止操作を受け付ける。ストップボタン２８Ｃは、リール５２Ｃを停止させるための停止操作を受け付ける。ストップボタン２８Ｒは、リール５２Ｒを停止させるための停止操作を受け付ける。
ここで挙げたストップボタン２８は遊技者の任意の順番で押すことも可能であるが、一部の遊技機においては、所定の押し順でストップボタン２８を押下しないとペナルティが付与される場合がある。
【００３４】
前段で挙げたすべてのストップボタン２８について停止条件が一旦は同時に成立するが、一のストップボタン２８を押下すると所定の時間だけ停止条件が解除され、他のストップボタン２８の停止操作を受け付けなくなる。そして、当該時間が経過した後に他のストップボタン２８に対して再び停止条件が成立し、他のストップボタン２８の停止操作を受け付けることが可能となる。このとき、停止操作受付済みの一のストップボタン２８については停止条件が成立しない。
停止条件は以上のように成立するので、遊技者はストップボタン２８の停止操作を当該時間未満の間隔で行えない。
なお、本実施形態におけるストップボタン２８は、ＬＥＤランプ（図示せず）を内包し、その周囲を透過性の部材で覆う構成となっている。そして、ストップボタン２８は、ＬＥＤランプの点灯色で停止条件の成立の可否を遊技者に報知する仕様となっている。
【００３５】
ストップボタン２８で受け付けた停止操作に起因して、当該停止操作を受け付けたストップボタン２８に対応するリール５２が停止する。リール５２の停止位置は、ストップボタン２８の押下時におけるリール５２の位置を基準として最大４コマまで移動しうる。ストップボタン２８を押下してからリール５２が停止するまでのリール５２の回動制御を、一般的にはすべり制御という。
ここでコマとは、リール５２の外周（帯５８）に示されている図柄の一つに対して与えられている領域をいい、１コマとは、一つの当該領域、または、一つの当該領域の上下方向の寸法をいう。本実施形態において、リール５２の外周は２１コマに等分されており、各コマにそれぞれ一つずつ図柄が配列されている（図示せず）。
なお、本実施形態においてリール５２の停止とは、所定のコマを基準に１コマ未満の変動幅でリール５２が揺動している状態も含むものとする。
【００３６】
中央パネル１４には、上部に演出表示装置１６が配置されており、下部に視認窓１８が形成されている。
【００３７】
演出表示装置１６は、前面扉１２の前面上部に配置されており、遊技機１０の遊技に関する各種演出または各種情報を表示することができる。演出表示装置１６には、例えば、液晶ディスプレイ型の表示装置や、ドットマトリクス型の表示装置などが用いられる。
演出表示装置１６で表示される演出は、スピーカ３４からの音声出力や装飾ランプ３６の発光と連動しており、遊技者の興趣を好適に喚起させることができる。
また、演出表示装置１６は、指令生成部１７０（図３参照）から通知される情報を表示出力することによって、特定の遊技を遊技者にとって有利な状態に遷移させることができる。当該機能については後に詳述する。
【００３８】
視認窓１８は、本体内部（前面扉１２の裏面側）に備えられたリールユニット５０の前面側に形成された窓枠で、内部領域と外部領域とに区画されている。
視認窓１８の内部領域は透明部材で形成することによって、当該内部領域を介してリールユニット５０の一部が視認可能にすると共に、リールユニット５０を保護している。
また、視認窓１８の外部領域は不透明部材（半透明部材や透明部材を着色した部材を含む）で形成されており、外部領域を介したリールユニット５０の視認を困難としている。
【００３９】
リールユニット５０は、縦方向（上下方向）に回動可能な三つのリール５２Ｌ、リール５２Ｃ、リール５２Ｒが横方向（左右方向）に配列され、フレーム５４に収容されている。
リール５２は、ドラム５６の外周に帯５８が貼られたものである。ドラム５６は、その内側に内包されたステッピングモータ（図示せず）によって駆動されて回動する構成となっている。なお、当該ステッピングモータは、図３に図示するリール駆動部５１１、リール駆動部５１２、およびリール駆動部５１３の主要構成部品であり、図３に図示するメイン基板１００（回動制御部１５０）からの制御信号に応じて動作する。
【００４０】
帯５８には２１個の図柄（図示せず）が描かれており、これらの図柄の一部が視認窓１８の内部領域を介して遊技者に対して視認される。
視認窓１８の内部領域は縦方向に三コマ分の寸法となっている。また、各リール５２は視認窓１８の内部領域の縦方向に３個の図柄が収まるように停止制御され、遊技者は当該３個の図柄を視認窓１８の内部領域を介して視認できるようになっている。すなわち、リール５２が横方向に３つ配置されているので、各リール５２が停止している場合において、遊技者が３個の図柄×３リール＝９個の図柄を視認可能になっている。
【００４１】
前段のように各リール５２が停止制御されるとき、各リール５２において停止する図柄のうち上段・中段・下段に停止する図柄が形成する略直線（図１において一点鎖線で示す）をそれぞれラインＬ１・ラインＬ２・ラインＬ３と称す。
また、リール５２Ｌの上段と、リール５２Ｃの中段と、リール５２Ｒの下段に停止する図柄が形成する略直線（図１において一点鎖線で示す）をラインＬ４と称す。リール５２Ｌの下段と、リール５２Ｃの中段と、リール５２Ｒの上段に停止する図柄が形成する略直線（図１において一点鎖線で示す）をラインＬ５と称す。
【００４２】
＜遊技機１０の機能構成＞
次に、本実施形態における遊技機１０の機能構成について、主に図３を用いて説明する。ただし、先に説明した図１や図２に図示される構成要素についても言及するので適宜参照されたい。
なお、図３は、遊技機１０の機能ブロック図である。
【００４３】
遊技機１０は、主要な構成要素としてメイン基板１００とサブ基板２００とを内蔵している。また、メイン基板１００はリールユニット５０やメダル払出装置７０も制御している。
メイン基板１００は、ＣＰＵ（図示せず）、ＲＯＭ（図示せず）またはＲＡＭ（図示せず）等の電子部品が実装されており、これらの電子部品や各種センサ等の間で授受するデータや制御信号の処理を実行することによって、遊技に関する各種機能を実現している。
一方で、サブ基板２００も、ＣＰＵ（図示せず）、ＲＯＭ（図示せず）またはＲＡＭ（図示せず）等の電子部品が実装され、情報処理によって各種機能を実現している点においてはメイン基板１００と同様である。しかし、サブ基板２００は、メイン基板１００（指令生成部１７０）からの制御信号（サブ送信コマンド）によって制御されている点、および、演出表示装置１６、スピーカ３４または装飾ランプ３６等の主に遊技に関する演出に用いられる周辺機器がその制御対象である点においてメイン基板１００とは異なる。
【００４４】
メイン基板１００は、遊技管理部１１０、内部抽選部１２０、条件装置１３０、メダル処理部１４０、回動制御部１５０、指令生成部１７０および特典付与部１８０を備える。
【００４５】
遊技管理部１１０は、他の機能や各種センサを監視または制御して遊技状態を管理し、少なくとも以下の処理を実行する。
（ｉ）遊技不能である場合に、遊技を停止（中断）させる。
（ｉｉ）リプレイ役（再遊技）に対応している条件装置１３０が作動している場合に、再遊技処理を行って通常開始条件を成立させる。
（ｉｉｉ）所定の条件が成立している場合に、スタートレバーセンサ３２６を作動させて遊技者の操作を待機する。
（ｉｖ）スタートレバーセンサ３２６が作動している場合に、その検知に応じて通常開始条件を成立させる。この通常開始条件の成否を管理する機能が通常開始処理部１１１である。
（ｖ）変動表示が実行されている場合に、所定のセンサ（本実施形態ではＭＡＸＢＥＴボタンセンサ３２２）の検知に応じて特別開始条件を成立させる。この特別開始条件の成否を管理する機能が特別開始処理部１１２である。
（ｖｉ）変動表示が実行されている場合に、所定のセンサ（本実施形態ではＭＡＸＢＥＴボタンセンサ３２２）の検知に応じて特別終了条件を成立させる。この特別終了条件の成否を管理する機能が特別終了処理部１１３である。
【００４６】
また、遊技管理部１１０は、遊技機１０の遊技設定値も管理しており、遊技が実行されるごとに各種機能に当該遊技設定値を出力している。ここで遊技設定値とは、遊技機１０に内蔵されている設定変更装置（図示せず）によって変更される値であり、前面扉１２を開放した状態において設定キー（図示せず）を挿入することにより変更操作が可能となる。遊技設定値は、内部抽選部１２０における各種抽選の当選確率、または、サブ基板２００によって制御される各種演出の発生確率、等に影響を与える。
【００４７】
内部抽選部１２０（当否判定手段）は、通常開始条件（第一条件）の成立を契機として、予め定められている複数とおりの入賞役の当否を抽選によって判定する。また、内部抽選部１２０は、抽選された入賞役に対応している条件装置１３０を作動させる。内部抽選部１２０による抽選には抽選テーブル（図示せず）が用いられる。
条件装置１３０は、その作動によって入賞または再遊技が成立するための前提条件である入賞役フラグを成立させる。より詳細には、条件装置１３０（フラグ成立手段）は、内部抽選部１２０によって判定された入賞役の当選を契機として、当該入賞役に対応している入賞役フラグを成立させる。
【００４８】
ここで入賞とは、入賞役が内部抽選部１２０によって抽選され、その入賞役に対応している図柄の組み合わせが入賞ライン上に停止することをいう。
ここで再遊技とは、次の図柄変動ゲームをメダル投入に因らずに行うことができる特典に対応している入賞役が内部抽選部１２０によって抽選され、その特典に対応している図柄の組み合わせが入賞ライン上に停止することをいう。
ここで入賞ラインとは、リールユニット５０の回動方向に対して交差する略直線方向のいずれかであって遊技者に視認可能な位置に設けられているラインＬ１からラインＬ５のうち一又は複数に対して設定される。
【００４９】
上記のような構成になっているので、内部抽選部１２０によって入賞役が抽選されることは、その入賞役が入賞されることが許容される状態になると換言することができる。
なお、以下の説明において、内部抽選部１２０によって入賞役が抽選されることを「入賞役の当選」と表現する場合があるが、この表現は「入賞」の前提条件の少なくとも一部が満たされ、その入賞役に入賞されることが許容されていることを意味する。
【００５０】
メダル処理部１４０は、クレジットを記憶し、その増減を管理する機能を有する。より詳細には、ＢＥＴボタンセンサ３２０がＢＥＴボタン２０の押下を検知したとき、または、ＭＡＸＢＥＴボタンセンサ３２２がＭＡＸＢＥＴボタン２２の押下を検知したとき、メダル処理部１４０は記憶しているクレジットから所定の値を減算する。
また、メダル処理部１４０は、特典付与部１８０によって付与されたメダル数に相当する値を、記憶しているクレジットに加算する。
記憶しているクレジットが上限値であるときに特典付与部１８０から特典としてメダルが付与された場合、メダル処理部１４０は、メダル払出部３７０を介してメダル払出装置７０に働きかけて、超過したメダル数に相当するメダルを払い出させる。
また、メダル処理部１４０は、精算スイッチセンサ３３０が精算スイッチ３０の押下を検知したとき、メダル処理部１４０はメダル払出部３７０を制御し、メダル払出装置７０に蓄えられているメダルを払い出させる。
【００５１】
回動制御部１５０は、リールユニット５０の回動を制御する機能を有している。より詳細には、回動制御部１５０は、通常回動制御部１５１、特別回動制御部１５２および表示図柄判定部１５３を有している。通常回動制御部１５１は、図柄変動ゲームにおける変動表示および停止表示の実行のためにリールユニット５０を制御する。特別回動制御部１５２は、特別表示の実行のためにリールユニット５０を制御する。表示図柄判定部１５３は、作動している条件装置１３０と図柄変動ゲームにおいて停止表示された図柄の停止パターンとを比較し、入賞の成否を判定する。
【００５２】
通常回動制御部１５１は、変動表示の実行期間において、各リール５２を所定速度で回動させるようにリール駆動部５１１、リール駆動部５１２およびリール駆動部５１３にパルス信号を出力する。また、特別回動制御部１５２は、特別表示の実行期間の少なくとも一部において、各リール５２を所定速度より低速または停止させるようにリール駆動部５１１、リール駆動部５１２およびリール駆動部５１３にパルス信号を出力する。
リール駆動部５１１はリール５２Ｌを、リール駆動部５１２はリール５２Ｃを、リール駆動部５１３はリール５２Ｒを、それぞれ回動させる機能を有する。より詳細には、リール駆動部５１１、リール駆動部５１２およびリール駆動部５１３の主要な構成部品はステッピングモータ（図示せず）であり、通常回動制御部１５１が出力するパルス信号を入力することによって、断続的に可変な回動態様で各リール５２を回動させることができる。
なお、リール５２の回動角度（移動コマ数）は、通常回動制御部１５１が出力したパルス信号の長さに比例して増大する。また、リール５２の回動速度は、通常回動制御部１５１が出力したパルス信号の周波数に比例して増大する。
【００５３】
特別回動制御部１５２（特別回動制御手段）によって特別表示が実行されている場合、通常回動制御部１５１（通常回動制御手段）は、停止条件（第四条件）の成立を禁則させる。すなわち、特別表示が実行されている間は、いわゆるフリーズ状態になる。
なお、ここで停止条件とは、上述のとおり、図柄変動ゲームにおける停止表示を実行可能にするための条件である。
また、ここでフリーズ状態とは、少なくとも一つのリール５２が回動しているにも関わらず、回動している当該リール５２に対応するストップボタン２８が遊技者の操作を受け付けない状態をいう。
このように、いわゆるフリーズ状態で特別表示を実行することができるので、特別表示が直接的に図柄変動ゲームの結果に直接的に影響をおよぼすことはない。
【００５４】
特別回動制御部１５２は、通常回動制御部１５１によって変動表示が実行されている場合であって上記の特別開始条件（第二条件）が成立したとき、特別表示の実行を開始する。
また、特別回動制御部１５２（特別回動制御手段）は、特別表示を実行している場合であって上記の特別停止条件（第三条件）が成立したとき、特別表示の実行を終了する。
これにより、リール５２の配列目を確認するための特別表示、遊技者の任意のタイミングで始められるとともに、遊技者の任意のタイミングで終えることができる。
【００５５】
特典付与部１８０は、遊技者にとって有利な特典を付与する機能を有する。
ここで特典とは、遊技者にとって好まれる遊技機１０の遊技に関する恩恵をいう。より具体的には、以下の態様等が挙げられる。
（ｉ）クレジットまたはメダルの増加処理。
（ｉｉ）有利遊技状態（例えば、ボーナス遊技やＡＲＴ）への移行。
（ｉｉｉ）有利遊技状態の延長（例えば、ＡＲＴの遊技数の増加）。
（ｉｖ）希少な確率の演出（いわゆるプレミアム演出）、または通常は秘匿されている遊技状態または遊技設定値を示唆する演出処理。
（ｖ）遊技機１０で行う遊技と外部システム（例えばウェブサイト）とを連携させるために必要な種々のデータの付与処理。
なお、（ｉ）から（ｖ）の分類は便宜的に区分したに過ぎず、同一の処理が複数の分類に含まれることを排除するものではない。また、ここでＡＲＴとは、アシストリプレイタイムと称される遊技状態であり、リプレイ役の抽選確率が通常の遊技状態より向上すると共に、特定の入賞役を成立させるために必要な情報としての停止操作の順番等を遊技者に報知とタイミングを報知する。
【００５６】
指令生成部１７０は、メイン基板１００が有する種々の機能から出力されたデータを入力し、入力されたデータに基づいてサブ基板２００を制御する制御信号（サブ送信コマンド）を生成して伝送する機能を有している。より詳細には、指令生成部１７０は、演出表示制御部２１０とランプ制御部２２０とスピーカ制御部２３０とに制御信号を伝送する。
【００５７】
演出表示制御部２１０は、演出表示装置１６を制御する機能を有し、メイン基板１００によって制御される遊技と連動して表示出力による演出を演出表示装置１６に実行させる。
ランプ制御部２２０は、装飾ランプ３６を制御する機能を有し、メイン基板１００によって制御される遊技と連動して発光出力による演出を装飾ランプ３６に実行させる。
スピーカ制御部２３０は、スピーカ３４を制御する機能を有し、メイン基板１００によって制御される遊技と連動して音声出力による演出をスピーカ３４に実行させる。
【００５８】
＜第一実施形態における図柄変動ゲームのメインフロー＞
次に、本実施形態における図柄変動ゲームのメインフローについて、主に図４を用いて説明する。ただし、先に説明した図１から図３に図示される構成要素についても言及するので適宜参照されたい。
図４は、第一実施形態における図柄変動ゲームのメインフローを示すフローチャートである。なお、図４における遊技開始処理（ステップＳ１０２）から遊技終了処理（ステップＳ１３６）までの一連の処理を実行することをもって一回の図柄変動ゲームとする。
【００５９】
遊技管理部１１０は、遊技機１０が正常に起動中である場合、当該図柄変動ゲームにおける遊技状態や遊技設定値に関する情報を取得し、各種機能に出力して遊技を開始する（ステップＳ１０２）。
ここで、前回の図柄変動ゲームにおいてリプレイ役（再遊技）に対応している条件装置１３０が作動している場合（ステップＳ１０４のＹＥＳ）、遊技管理部１１０は再遊技処理を実行する（ステップＳ１１０）。そして、遊技管理部１１０は、通常開始条件が成立するまで待機する。より詳細には、遊技管理部１１０は、スタートレバーセンサ３２６を作動させて、スタートレバーセンサ３２６による検知を通常開始条件の成立として待機する（ステップＳ１１２のＮＯ）。ここで再遊技処理とは、上述した再遊技の特典を付与する処理をいう。
【００６０】
また、前回の図柄変動ゲームにおいてリプレイ役に対応している条件装置１３０が作動していない場合（ステップＳ１０４のＮＯ）、遊技管理部１１０は、ＢＥＴボタンセンサ３２０、ＭＡＸＢＥＴボタンセンサ３２２またはメダル通過センサ３２４による検知を待機する。これらのいずれかの作動に応じてベット数を増加させ（ステップＳ１０６）、ベット数が所定数（３枚）に達するまで待機する（ステップＳ１０８のＮＯ）。そして、ベット数が所定数に達したとき（ステップＳ１０８のＹＥＳ）、遊技管理部１１０は、通常開始条件が成立するまで待機する（ステップＳ１１２のＮＯ）。
【００６１】
スタートレバーセンサ３２６による検知が行われたとき（ステップＳ１１２のＹＥＳ）、遊技管理部１１０はこの検知に起因して内部抽選部１２０に内部抽選を実行させる（ステップＳ１１４）。また、この内部抽選において抽選された入賞役に対応している条件装置１３０が作動する（ステップＳ１１６）。
【００６２】
ステップＳ１１６の時点でウェイト時間が経過しているならば（ステップＳ１１８のＹＥＳ）、そのまま当該図柄変動ゲームにおける変動表示が実行される（ステップＳ１２０）。
ステップＳ１１６の時点でウェイト時間が経過していないのであれば（ステップＳ１１８のＮＯ）、ウェイト時間が経過するまで待機した後に、当該図柄変動ゲームにおける変動表示が実行される（ステップＳ１２０）。
【００６３】
表示図柄判定部１５３はステップＳ１２０で停止させた各リール５２の停止パターンを判別し、ステップＳ１１６で作動した条件装置１３０に対応している図柄の組合せが入賞ラインに停止しているか否か（入賞しているか否か）を判定する（ステップＳ１２２）。
【００６４】
ステップＳ１２２における判定の成否とその他の条件とに基づいて、特典付与部１８０は特典を付与しうる（ステップＳ１２４）。
特典付与部１８０によって特典としてメダルが付与された場合（ステップＳ１２６のＹＥＳ）、メダル処理部１４０は当該特典に対するメダル処理を実行する（ステップＳ１２８）。
特典付与部１８０によって特典としてメダルが付与されない場合（ステップＳ１２６のＮＯ）、または必要なメダル処理（ステップＳ１２８）が終了した後に、当該図柄変動ゲームを終了させて次回の図柄変動ゲームに移行する（ステップＳ１３０）。
【００６５】
＜本実施形態における変動表示の制御について＞
次に、通常回動制御部１５１によって実行される変動表示の制御について、図５から図７を用いて説明する。ただし、先に説明した図１から図４に図示される構成要素や処理（ステップ）についても言及するので適宜参照されたい。
なお、図５は、図柄変動ゲームにおける変動表示の処理手順を示すフローチャートである。図６は、特別表示の実行の一例を示すタイムチャートである。図７は、図６で示す特別表示における各リール５２の動作状態を示す図である。なお、各リール５２の動作状態を示すにあたって、図６では各リール５２の加速時間や減速時間を無視して図示している。
【００６６】
通常回動制御部１５１は、リールユニット５０に含まれるすべてのリール５２Ｒ、５２Ｃ、５２Ｌが所定速度で順方向に回動するように、リール駆動部５１１、５１２、５１３にパルス信号を出力する（ステップＳ１５２）。
【００６７】
また、通常回動制御部１５１は、すべてのリール５２の回動速度が所定速度に到達するまでは停止条件を否定しつつ待機する（ステップＳ１５４のＮＯ）。また、通常回動制御部１５１は、すべてのリール５２の回動速度が所定速度に到達したとき（ステップＳ１５４のＹＥＳ）は停止条件を成立させる（ステップＳ１５６）。
なお、ステップＳ１５６における停止条件の成立は、リールユニット５０に含まれるすべてのリール５２Ｒ、５２Ｃ、５２Ｌについて同時に行われる。
【００６８】
本実施形態では、ステップＳ１５６で停止条件が成立した後であって、後に述べる第１停止操作を受け付ける前（ステップＳ１７２のＮＯ）において、特別開始条件が成立したか否かを判定する（ステップＳ１５８）。
本実施形態では特別開始条件の成立を許容する期間をステップＳ１５６からステップＳ１７２までに限ったが、この実施例に限られない。当該期間は、その図柄変動ゲームにおける変動表示の実行期間の少なくとも一部または全部であることが好ましいが、変動表示の終了後であってもよい。
【００６９】
上記の期間において特別開始条件が成立していない場合（ステップＳ１５８のＮＯ）、当該期間が終了するまで（第一停止操作を受け付けるまで）、遊技管理部１１０は特別開始条件の成立を待機する。
また、上記の期間において特別開始条件が成立した場合（ステップＳ１５８のＹＥＳ）、ステップＳ１１６で作動した条件装置１３０が特定の入賞役フラグに該当するか否かを判別する（ステップＳ１６０）。
ここで特定の入賞役とは、特別表示の停止目標になりうる入賞役であり、その入賞役が抽選されたとしても所定のタイミングでストップボタン２８を押下しなければ対応する図柄が入賞ラインに停止できない、すなわち入賞にならないものであることが好ましい。
【００７０】
ステップＳ１６０における判別において、特定の入賞役フラグが非成立である場合、すなわち特定の入賞役に対応している条件装置１３０が作動していない旨が判別された場合（ステップＳ１６０のＮＯ）、停止目標を定めずにステップ１６４の処理に移行する。すなわち、停止期間が含まれない回動パターンを定め（ステップＳ１６４）、その回動パターンで特別表示が実行される（ステップＳ１６６）。
【００７１】
一方で、ステップＳ１６０における判別において（特別表示が実行される場合であって）、特定の入賞役フラグが成立している場合（ステップＳ１６０のＹＥＳ）、特別回動制御部１５２は、特定の入賞役フラグに応じて停止期間におけるリールの停止目標位置を定める（ステップＳ１６２）。
【００７２】
ステップＳ１６２において（特別表示が実行される場合であって特定の入賞役フラグが成立しているとき）、停止期間におけるリール５２の停止目標位置は以下のように定められる。すなわち、特別回動制御部１５２（特別回動制御手段）は、成立している特定の入賞役フラグに対応している図柄が、視認窓１８の内部領域を介して遊技者が視認可能な位置または当該位置を基準として変動表示におけるリール５２の回動方向の逆方向の近傍に停止表示されるように、当選図柄を停止させる位置である停止目標位置を決定する。以下の説明において、「成立している特定の入賞役フラグに対応している図柄」のことを当選図柄と称す。
なお、上述したように、視認窓１８は、複数のリール５２の前方に設けられ、遊技者がリール５２のそれぞれ一部を視認可能になっている内部領域と、遊技者がリール５２を視認困難になっている外部領域と、に区画されている窓枠である。
【００７３】
ここで「内部領域を介して遊技者が視認可能な位置」とは、視認窓１８において表示される９個の図柄（＝３コマ×３リール）の位置である。
また、「当該位置を基準として変動表示におけるリールの回動方向の逆方向の近傍」とは、視認窓１８の窓枠の上方近傍に位置するコマのことであって、視認窓１８の内部領域上段のコマを基準としてすべり制御の範囲内（上方４コマ以内）であると好ましい。
このように当選図柄を停止させる場合には、他の図柄より大きくて目押しの目安になりやすい図柄（例えばボーナス図柄）を窓枠内に停止させたとき、本来停止させるべき当選図柄が視認窓１８の窓枠上方近傍で停止になる場合等が挙げられる。
【００７４】
特別回動制御部１５２は、ステップＳ１６２において決定された停止目標位置に基づいて、各リール５２の回動パターンを決定する（ステップＳ１６４）。ここで回動パターンには、各リール５２における低速期間や停止期間のタイミング等が含まれる。
そして、特別回動制御部１５２（特別回動制御手段）は、当選図柄が配列されているリールを低速で回動させて、停止目標位置に当選図柄が位置したとき、停止期間にわたって当該リールを停止させる（ステップＳ１６６）。より詳細には、特別回動制御部１５２は、ステップＳ１６４で決定された回動パターンで特別表示を実行し、当該特別表示に含まれる停止期間においてステップＳ１６２で決定された停止目標位置に各リール５２を停止させる。
【００７５】
特定の入賞役フラグが成立している場合においてステップＳ１６６で実行される特別表示の詳細を、図６および図７に図示する。
図６のタイムチャートに示すように、ＭＡＸＢＥＴボタン２２が押下された時点（ＭＡＸＢＥＴボタンセンサ３２２がＯＮになった時点）で、リール５２Ｌ、リール５２Ｃおよびリール５２Ｒの回動速度が所定速度から低速に移行して特別表示が開始される。
【００７６】
特別表示が開始された直後においては、リール５２Ｌ、リール５２Ｃおよびリール５２Ｒは所定速度より遅い速度（低速）であって、それぞれ等しい速度で回動している。
この状態を図７（ａ）に図示する。各リール５２の中に図示している矢印は、その向きで各リール５２の回動方向と、その長さで各リール５２の回動速度とを示している。同図において各矢印は同方向であり同寸法であるので、各リール５２は同じ方向（順方向）に回動しており、かつそれぞれ等速で回動している。
【００７７】
図６に図示するように、本実施形態では停止される（停止期間を含む）特別表示の対象となるリール５２は、リール５２Ｌとリール５２Ｃであって、リール５２Ｒは停止期間を含まず低速期間のみからなる特別表示が実行される。
リール５２Ｌは一回の停止期間を含み、リール５２Ｃより先に当該停止期間が行われる。また、リール５２Ｃは二回の停止期間を含み、それぞれ異なる位置で停止する。すなわち、リール５２Ｃはそれぞれの停止期間において異なる図柄を停止表示する。
【００７８】
リール５２Ｌが行う特別表示において停止される位置を図７（ｂ）に、リール５２Ｃが行う特別表示において停止される位置を図７（ｃ）と図７（ｄ）に示す。なお、ここで特別表示の条件となる特定の入賞役は「スイカ」であり、当該特別表示において「スイカ」図柄が当選図柄であることを前提として以下説明する。
【００７９】
リール５２Ｌが行う特別表示において、図７（ｂ）に示すように視認窓１８の内部領域の上段に「スイカ」図柄が停止される。また、この位置でリール５２Ｌを停止させる場合、視認窓１８の内部領域の下段に「７」図柄も停止される。
このようにリール５２Ｌが停止されるので、遊技者は「７」図柄を目安として「スイカ」図柄を停止させるタイミング（ストップボタン２８Ｌを押下するタイミング）を図ればよい旨を確認することができる。
【００８０】
一方、リール５２Ｃが行う特別表示において、図７（ｃ）に示すように視認窓１８の内部領域から１コマ上方に「スイカ」図柄が停止される。また、この位置でリール５２Ｃを停止させる場合、視認窓１８の内部領域の下段には「ＢＡＲ」図柄が停止される。
そして、リール５２Ｃは再び低速で回動した後、図７（ｄ）に示すように視認窓１８の内部領域の上段に「スイカ」図柄が停止される。また、この位置でリール５２Ｃを停止させる場合、視認窓１８の内部領域の１コマ下方には「ＢＡＲ」図柄が停止される。
このようにリール５２Ｃが停止されるので、遊技者は「ＢＡＲ」図柄を目安として「スイカ」図柄を停止させるタイミング（ストップボタン２８Ｃを押下するタイミング）を図ればよい旨を確認することができる。
【００８１】
リール５２Ｌまたはリール５２Ｃは、図６に示すように、上記のような停止期間を経た後に所定速度で回動する。リール５２Ｌまたはリール５２Ｃが行う特別表示がそうであるように、特別表示の実行中に所定速度で回動する態様が含まれてもよい。また、リール５２Ｒが行う特別表示がそうであるように、低速期間のみからなる態様で特別表示が実行されてもよい。また、図示しないが、所定速度で回動した後に停止し、その後に所定速度または低速で回動してもよい。
ただし、停止期間のみからなる（特別表示の実行期間の全てにおいて各リール５２が停止している）態様、または所定速度または所定速度以上の速度で回動する期間のみからなる（特別表示の実行期間に低速期間または停止期間が含まれない）態様については、本発明の特別表示に該当しない。各リール５２の図柄配列が容易に確認できないからである。
【００８２】
上記のような特別表示が実行された後、遊技管理部１１０は特別終了条件が成立するまで待機する（ステップＳ１６８のＮＯ）。また、特別表示が実行された後、特別終了条件が成立した場合（ステップＳ１６８のＹＥＳ）、遊技管理部１１０はその成立を特別回動制御部１５２に伝達し、特別回動制御部１５２は実行している特別表示を終了させる（ステップＳ１７０）。
なお、本実施形態では特別終了条件の成立を待って特別表示を終了させる態様で説明したが、本発明の実施はこれに限られない。例えば、特別回動制御部１５２は、ステップＳ１６４で決定された回動パターンを実行した後に自動的に特別表示を終了させてもよい。
【００８３】
通常回動制御部１５１は、上記の特別表示が非実行であってかつ停止条件が成立している状態で、いずれかのストップボタン２８が押下され、当該押下をストップボタンセンサ３２８が検知するまで待機する（ステップＳ１７２のＮＯ）。最初の停止操作（第１停止操作）をストップボタンセンサ３２８が検知したとき（ステップＳ１７２のＹＥＳ）、通常回動制御部１５１は、第１停止操作に対応しているリール５２を停止させる（ステップＳ１７４）。
ここでステップＳ１７４の停止処理において、最大４コマまでリールが移動しうる制御（すべり制御）を行うため、ストップボタンセンサ３２８の検知からリール５２の停止までにはタイムラグが生じうる。なお、当該タイムラグは１９０ｍｓ以下になるように設定されている。
【００８４】
通常回動制御部１５１は、停止条件を成立させた状態で、ストップボタンセンサ３２８が次の停止操作（第２停止操作）を検知するまで待機する（ステップＳ１７６のＮＯ）。また、ストップボタンセンサ３２８が第２停止操作を検知して通知されたとき（ステップＳ１７６のＹＥＳ）、通常回動制御部１５１は、第２停止操作に対応しているリール５２を停止させる（ステップＳ１７８）。
通常回動制御部１５１は、停止条件を成立させた状態で、ストップボタンセンサ３２８が最後の停止操作（第３停止操作）を検知するまで待機する（ステップＳ１８０のＮＯ）。また、ストップボタンセンサ３２８が第３停止操作を検知して通知されたとき（ステップＳ１８０のＹＥＳ）、通常回動制御部１５１は、第３停止操作に対応しているリール５２を停止させる（ステップＳ１８２）。
ステップＳ１７８またはステップＳ１８２の停止処理において、すべり制御が行われるのは、第１停止操作のときと同様である。
【００８５】
図６に図示するとおり、特別開始処理部１１２（第二処理手段）は、変動表示が開始された後であって、かつ複数のリール５２が所定速度で回動した後、すなわちステップＳ１５４の判定が肯定された後に、特別開始条件（第二条件）を成立させ得る。また、特別回動制御部１５２は、特別開始条件の成立に応じて特別表示を開始し得る。
このように、リール５２の回動速度が所定速度に達した後であっても特別表示を実行できるので、遊技者は変動表示の実行中にリール５２の配列目を確認することができる。
【００８６】
なお、本実施形態では複数のリール５２が所定速度で回動した後に特別表示を実行できる態様で説明したが、これは本発明の実施の一例であって、他の態様で本発明が実施されてもよい。
例えば、変動表示が開始された後であって、かつ複数のリール５２が所定速度に到達する前、すなわちステップＳ１５４の判定が否定されている間に特別開始条件が成立して、特別表示が実行される態様であってもよい。
また、変動表示が開始される前、すなわちステップＳ１０２からステップＳ１１８までの間に特別開始条件が成立して、特別表示が実行される態様であってもよい。この態様において、上述のとおり、遊技者による一の操作（ワンアクション）に起因して、通常開始条件の成立と特別開始条件の成立とを成立させてもよい。
【００８７】
また、本実施形態では上記のように停止目標位置を定め、それに応じた回動パターンで特別表示を実行するので、その図柄変動ゲームにおいて入賞ラインに停止させるべき当選図柄の位置または、当選図柄の停止の目安となる図柄の位置を、変動表示の実行中に確認することができる。
【００８８】
＜第二実施形態について＞
続いて、第二実施形態について説明する。
第二実施形態における遊技機１０の外観の構成や内部に搭載されている機能は、先に述べた第一実施形態と基本的に同様である。従って、各構成要素や機能に付されている符号は同じものを用いて説明する。
【００８９】
第一実施形態において図５で図示した変動表示の処理手順、および図６や図７で図示した特別表示の態様について、第二実施形態は第一実施形態と異なる。
以下、これらの点に関して、第二実施形態の態様を説明する。
【００９０】
まず、本実施形態における変動表示の処理手順について図８を用いて説明する。ただし、先に説明した図１から図３に図示される構成要素についても言及するので適宜参照されたい。
なお、図８は、第二実施形態における変動表示の処理手順を示すフローチャートである。
【００９１】
図８に示すフローチャートは、図５における特別表示に関する処理、具体的にはステップＳ１５８からステップＳ１７０までの処理が含まれない点について、第一実施形態とは異なる。
なお、本実施形態における特別表示に関する処理は、図８に示す処理手順とは独立した処理手順によって実行される。この処理手順に関しては、図９のフローチャートを用いて後に説明する。
【００９２】
ステップＳ２５２からステップＳ２５６までの処理については、上述した図５のステップＳ１５２からステップＳ１５６までの処理と同様である。また、ステップＳ２５８からステップＳ２６８までの処理については、上述した図５のステップＳ１７２からステップＳ１８２までの処理と同様である。従って、これらの処理の内容について、ここでの詳細な説明は省略する。
【００９３】
続いて、本実施形態における特別表示について、図９または図１０を用いて説明する。
図９は、第二実施形態における特別表示の処理手順を示すフローチャートである。図１０は、特別表示の実行の一例を示すタイムチャートである。なお、各リール５２の動作状態を示すにあたって、図１０では各リール５２の加速時間や減速時間を無視して図示している。
【００９４】
スタートレバー２６が初期状態の位置から倒された（スタートレバーセンサ３２６がＯＮになった）場合であって（ステップＳ２８０）、通常回動制御部１５１によって変動表示が実行されているとき（ステップＳ２８２のＹＥＳ）、遊技管理部１１０はスタートレバーセンサ３２６がＯＮになっている時間をカウントする。
なお、ステップＳ２８２の判定で肯定される変動表示は、ステップＳ２８０で検知されたスタートレバー２６に対する操作を契機とするものであってもよいし、別の機会におけるスタートレバー２６に対する操作を契機とするものであってもよい。
【００９５】
スタートレバー２６が初期状態の位置から倒された場合であっても（ステップＳ２８０）、通常回動制御部１５１によって変動表示が実行されていないときには（ステップＳ２８２のＮＯ）、特別表示を実行せずに当該処理手順は終了となる。
【００９６】
カウントされた時間が予め定められている所定時間ｔ未満である状態で（ステップＳ２８４のＮＯ）、スタートレバーセンサ３２６がＯＮである間（ステップＳ２８６のＮＯ）は、カウントを継続したまま待機となる。
カウントされた時間が予め定められている所定時間ｔ未満である状態で（ステップＳ２８４のＮＯ）、スタートレバーセンサ３２６がＯＦＦになった場合（ステップＳ２８６のＹＥＳ）は、カウントを停止し、かつ特別表示を実行せずに当該処理手順は終了となる。
【００９７】
カウントされた時間（開始操作部が操作されている時間）が所定時間ｔ以上になった場合（ステップＳ２８４のＹＥＳ）、特別開始処理部１１２によって特別開始条件が成立される（ステップＳ２８８）。
そして、ステップＳ２８８の時点で実行されている変動表示が中断になり（ステップＳ２９０）、特別回動制御部１５２が特別表示を開始させる（ステップＳ２９２）。
【００９８】
上記のように、本実施形態ではスタートレバー２６が特別表示を開始する契機（特別開始条件の成立契機）である。すなわち、通常開始条件（第一条件）の成立の契機となる遊技者の操作と、特別開始条件（第二条件）の成立の契機となる遊技者の操作と、を受け付ける部材が共通である。
一方で、第一実施形態ではＭＡＸＢＥＴボタン２２が特別表示を開始する契機である。この点について、本実施形態における特別表示と第一実施形態における特別表示とは異なる。
【００９９】
また、本実施形態では変動表示の実行中にスタートレバー２６が所定時間ｔ以上にわたって継続操作される場合において特別表示が開始される。
一方で、第一実施形態では変動表示の実行中にＭＡＸＢＥＴボタン２２が押下されたタイミングで直ちに特別表示が開始される。この点についても、本実施形態における特別表示と第一実施形態における特別表示とは異なる。
【０１００】
ステップＳ２９２において特別表示が開始された後、スタートレバー２６が倒れている間（スタートレバーセンサ３２６がＯＮである間）、特別回動制御部１５２によって特別表示の実行が継続して行われる（ステップＳ２９４のＮＯ）。
また、ステップＳ２９２において特別表示が開始された後、スタートレバー２６が初期状態の位置に復位した（スタートレバーセンサ３２６がＯＦＦになった）場合（ステップＳ２９４のＹＥＳ）、特別終了処理部１１３によって特別終了条件が成立される（ステップＳ２９６）。そして、特別回動制御部１５２は特別表示を終了させ、中断していた変動表示が再開される（ステップＳ２９８）。
【０１０１】
上記の処理手順を換言すると、遊技者による操作がスタートレバー２６（所定の部材）に対して継続して行われている場合、当該操作の開始時に特別開始条件（第二条件）が成立し、当該操作の終了時に特別終了条件（第三条件）が成立するともいえる。
すなわち、本実施形態における特別開始条件および特別終了条件に対する遊技者の操作は一回（ワンアクション）である。一方で、第一実施形態における特別開始条件および特別終了条件に対する遊技者の操作が個別であり、この点について本実施形態における特別表示と第一実施形態における特別表示とは異なる。
【０１０２】
本実施形態における特別表示の一例として、図柄変動ゲームにおける変動表示の実行中に特別表示が実行される実施例を図１０に示す。
なお、図１０に図示されているリール５２はリール５２Ｌ、リール５２Ｃまたはリール５２Ｒの全部である。
【０１０３】
以下の説明において、スタートレバー２６に対する操作（スタートレバーセンサ３２６がＯＮになること）を契機として、図８に示す変動表示の処理手順および図９に示す特別表示の処理手順が並行して開始された場合を前提として説明する。
上記を前提とする場合、図１０に示すようにスタートレバー２６が操作されたタイミングで変動表示が開始されるので、当該タイミングで各リール５２が始動し、所定速度に到達する。
また、当該タイミングから所定時間ｔが経過したタイミングで、本実施形態の特別表示は開始される。すなわち、外観としてはスタートレバー２６が初期状態の位置より倒されたタイミングから所定時間ｔが経過した時、変動表示から特別表示に移行しているように見える。
【０１０４】
本実施形態における特別表示の実行中において、図１０に示すように、各リール５２は所定速度より遅い速度であって一定の速度（低速）で回動する。
そして、スタートレバー２６が初期状態の位置に復位した（スタートレバーセンサ３２６がＯＦＦになった）タイミングで、特別表示が終了して変動表示が再開される。すなわち、図１０に示すように、外観としては当該タイミングで低速による回動（低速期間）から所定速度による回動（変動表示）に移行するように見える。
【０１０５】
上記で述べた内容を換言すると、通常回動制御部１５１によって変動表示が実行されており、かつスタートレバー２６が継続して操作された場合は以下のように特別表示が実行される。すなわち、スタートレバー２６への操作が継続している間に、変動表示の実行が中断されて特別表示が実行される。また、当該操作の終了を契機として、特別表示が終了して変動表示が再開される。
【０１０６】
上述したように、本実施形態における変動表示の処理手順（図８に示すフロー）と特別表示の処理手順（図９に示すフロー）とが独立しているので、変動表示の実行期間のいずれにおいても特別開始条件が成立すれば特別表示が開始される。従って、第１停止処理の後であっても特別表示が実行されうる。この点についても、本実施形態と第一実施形態とは異なる。
【０１０７】
以上、第一実施形態から第二実施形態のそれぞれについて本発明の実施例を説明したが、本発明は上述の実施形態に限定されるものではなく、本発明の目的が達成される限りにおける種々の変形、改良等の態様も含む。
例えば、上記の実施形態において特別表示が実行されている間はフリーズ状態にすることが好ましい旨を述べたが、必ずしもこれに限られなくてもよい。例えば、遊技管理部１１０は、低速期間において低速で回動しているリール５２を停止させるための条件である特別停止条件（第五条件）を、遊技者の操作に起因して成立させる機能（第五処理手段）を含んでもよい。そして、特別回動制御部１５２（特別回動制御手段）は、低速期間において特別停止条件が成立したとき、低速で回動しているリール５２を停止させてもよい。ここで特別停止条件の成立契機となる遊技者の操作を受け付ける部材は、ストップボタン２８であってもよいし、他の部材（例えば、スタートレバー２６やＭＡＸＢＥＴボタン２２）であってもよい。
これにより、特別表示の実行中にリール５２を停止させるタイミングを図る、すなわち目押しの練習をすることができる。
【０１０８】
上記の各実施形態の説明において、図３に図示する機能構成を前提として説明したが、本発明の各構成要素は、その機能を実現するように形成されていればよい。従って、本発明の遊技機の各構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【０１０９】
上記の各実施形態の説明において複数のフローチャートを用いた。これらのフローチャートは、順番に記載された複数のステップを含むものであるが、その記載の順番は複数のステップを実行する順番やタイミングを、図示した一つの態様に限定するものではない。このため、本発明を実施するときには、その複数のステップの順番は内容的に支障のない範囲で変更することができ、また複数のステップの実行タイミングの一部または全部が互いに重複していてもよい。
【０１１０】
本実施形態は以下の技術思想を包含する。
（１）複数列に表示される図柄の変動表示および停止表示を含む図柄変動ゲームを繰り返し実行する遊技機であって、それぞれに複数の前記図柄が配列されている複数のリールと、前記変動表示を開始させる条件である第一条件の少なくとも一部を、遊技者の操作に起因して成立させる第一処理手段と、前記第一条件の成立を契機として、前記複数のリールを予め定められた所定速度で回動させることによって前記変動表示を実行する通常回動制御手段と、遊技者の操作に起因して第二条件を成立させる第二処理手段と、前記第二条件の成立を契機として、前記複数のリールの少なくとも一つを回動させる特別表示を実行する特別回動制御手段と、を備え、前記特別表示が実行されている期間の少なくとも一部には、当該特別表示において回動させる前記リールの回動速度が前記所定速度より低速である低速期間、または当該特別表示において回動させている前記リールが停止する停止期間が含まれる遊技機。
（２）前記第二処理手段は、前記変動表示が開始された後であって、かつ前記複数のリールが前記所定速度で回動した後に、前記第二条件を成立させ得る（１）に記載の遊技機。
（３）前記特別表示の実行を解除するための条件である第三条件を、遊技者の操作に起因して成立させる第三処理手段を備え、前記特別回動制御手段は、前記特別表示を実行している場合であって前記第三条件が成立したとき、前記特別表示の実行を終了する（１）または（２）に記載の遊技機。
（４）前記特別回動制御手段によって前記特別表示が実行されている場合、前記通常回動制御手段は、前記図柄変動ゲームにおける前記停止表示を実行可能にするための条件である第四条件の成立を禁則させる（１）から（３）のいずれか一項に記載の遊技機。
（５）前記第一条件の成立を契機として、予め定められている複数とおりの入賞役の当否を抽選によって判定する当否判定手段と、前記当否判定手段によって判定された前記入賞役の当選を契機として、当該入賞役に対応している入賞役フラグを成立させるフラグ成立手段と、を備え、前記特別表示が実行される場合であって特定の前記入賞役フラグが成立しているとき、前記特別回動制御手段は、前記特定の入賞役フラグに応じて前記停止期間における前記リールの停止目標位置を定める（１）から（４）のいずれか一項に記載の遊技機。
（６）前記複数のリールの前方に設けられ、遊技者が前記リールのそれぞれ一部を視認可能になっている内部領域と、遊技者が前記リールを視認困難になっている外部領域と、に区画されている視認窓を備え、前記特別表示が実行される場合であって前記特定の入賞役フラグが成立しているとき、前記特別回動制御手段は、成立している前記特定の入賞役フラグに対応している前記図柄が、前記内部領域を介して遊技者が視認可能な位置または当該位置を基準として前記変動表示における前記リールの回動方向の逆方向の近傍に停止表示されるように、当該図柄を停止させる位置である停止目標位置を決定し、当該図柄が配列されている前記リールを前記低速で回動させて、前記停止目標位置に当該図柄が位置したとき、前記停止期間にわたって当該リールを停止させる（５）に記載の遊技機。
【０１１１】
さらに、本実施形態は以下の技術思想を包含する。
（ａ）前記低速期間において前記低速で回動している前記リールを停止させるための条件である第五条件を、遊技者の操作に起因して成立させる第五処理手段を備え、前記特別回動制御手段は、前記低速期間において前記第五条件が成立したとき、前記低速で回動している前記リールを停止させる（１）に記載の遊技機。
（ｂ）前記第一条件の成立の契機となる遊技者の操作と、前記第二条件の成立の契機となる遊技者の操作と、を受け付ける部材が共通である（１）に記載の遊技機。
（ｃ）遊技者による操作が所定の部材に対して継続して行われている場合、当該操作の開始時に前記第二条件が成立し、当該操作の終了時に前記第三条件が成立する（３）に記載の遊技機。
【符号の説明】
【０１１２】
１０  遊技機
１２  前面扉
１４  中央パネル
１６  演出表示装置
１８  視認窓
２０  ＢＥＴボタン
２２  ＭＡＸＢＥＴボタン
２４  メダル投入口
２６  スタートレバー
２８（２８Ｌ、２８Ｃ、２８Ｒ）  ストップボタン
３０  精算スイッチ
３２  メダル排出口
３４  スピーカ
３６  装飾ランプ
３８  下皿
５０  リールユニット
５２（５２Ｌ、５２Ｃ、５２Ｒ）  リール
５４  フレーム
５６  ドラム
５８  帯
７０  メダル払出装置
Ｌ１、Ｌ２、Ｌ３、Ｌ４、Ｌ５  ライン
１００  メイン基板
１１０  遊技管理部
１１１  通常開始処理部
１１２  特別開始処理部
１１３  特別終了処理部
１２０  内部抽選部
１３０  条件装置
１４０  メダル処理部
１５０  回動制御部
１５１  通常回動制御部
１５２  特別回動制御部
１５３  表示図柄判定部
１７０  指令生成部
１８０  特典付与部
２００  サブ基板
２１０  演出表示制御部
２２０  ランプ制御部
２３０  スピーカ制御部
３２０  ＢＥＴボタンセンサ
３２２  ＭＡＸＢＥＴボタンセンサ
３２４  メダル通過センサ
３２６  スタートレバーセンサ
３２８  ストップボタンセンサ
３３０  精算スイッチセンサ
３７０  メダル払出部
５１１、５１２、５１３  リール駆動部
【図１】
0006322597.tif 000002
【図２】
0006322597.tif 000003
【図３】
0006322597.tif 000004
【図４】
0006322597.tif 000005
【図５】
0006322597.tif 000006
【図６】
0006322597.tif 000007
【図７】
0006322597.tif 000008
【図８】
0006322597.tif 000009
【図９】
0006322597.tif 000010
【図１０】
0006322597.tif 000011